(57)【要約】【課題】薄型化が可能で意匠性にも優れた太陽電池駆動装置を提供する。【解決手段】太陽電池駆動装置１は、表示面２と、表示面の縁部を取り囲むように配置される枠体３と、表示面の裏面側と枠体の内部との少なくとも一方に配置される太陽電池４と、太陽電池の発電電力を電源として利用する制御回路５と、制御回路により制御される制御対象物６と、枠体の内部に配置され、太陽電池および制御回路を接続する配線ケーブル１５と、を備える。【選択図】図１
2016024373.tif 000002
【特許請求の範囲】
【請求項１】
表示面と、
前記表示面の縁部を取り囲むように配置される枠体と、
前記表示面の裏面側と前記枠体の内部との少なくとも一方に配置される太陽電池と、
前記太陽電池の発電電力を電源として利用する制御回路と、
前記制御回路により制御される制御対象物と、
前記枠体の内部に配置され、前記太陽電池および前記制御回路を接続する配線ケーブルと、を備える太陽電池駆動装置。
【請求項２】
前記表示面の裏面側に配置され、前記枠体に接合される裏面ボードを備え、
前記制御回路は、前記太陽電池と前記裏面ボードとの間に配置される請求項１に記載の太陽電池駆動装置。
【請求項３】
前記制御回路は、前記表示面の裏面側または前記枠体の内部に設けられる請求項２に記載の太陽電池駆動装置。
【請求項４】
前記表示面は、電気的な画像を表示する第１表示面領域と、所定の絵柄を表示する第２表示面領域とを有し、
前記太陽電池は、前記第２表示面領域の裏面側に配置される請求項１乃至３のいずれかに記載の太陽電池駆動装置。
【請求項５】
前記制御対象物は、前記第１表示面領域に表示する画像を生成する表示部を含んでおり、
前記表示部は、前記太陽電池の発電電力を電源として利用して、前記制御回路により制御されることを特徴とする請求項１乃至４のいずれかに記載の太陽電池駆動装置。
【請求項６】
前記制御対象物は、前記太陽電池の発電電力を電源として利用する周囲の環境条件を検知するセンサを含んでおり、
前記制御回路は、前記センサが検知した環境条件に応じて、処理動作を切り替えることを特徴とする請求項１乃至５のいずれかに記載の太陽電池駆動装置。
【請求項７】
前記制御回路と前記制御対象物とを接続するフラットケーブルを備える請求項１乃至６のいずれかに記載の太陽電池駆動装置。
【請求項８】
前記枠体の内部には、絵柄層と、この絵柄層を通過した光を拡散させる拡散層と、前記太陽電池と、を積層した積層物が設けられ、
前記拡散層で拡散された光は、前記太陽電池の発電有効面に導かれる請求項１乃至７のいずれかに記載の表示装置。
【発明の詳細な説明】
【技術分野】
【０００１】
本発明は、太陽電池を備えた太陽電池駆動装置に関する。
【背景技術】
【０００２】
二酸化炭素等の温暖化ガスの削減を図る一環として、太陽電池の普及が進んでいる。ただし、太陽電池は単位面積当たりの発電能力がそれほど高くないため、太陽電池で電気機器を駆動するのは容易ではない。
【０００３】
一方、電子インクを用いた電子ペーパーは、液晶表示装置と比べて格段に消費電力が少ないため、太陽電池で駆動することも可能である。太陽電池で電子ペーパーを駆動すると、電源コードや電池交換が不要となるため、広告宣伝用のデジタルサイネージ用途で電子ペーパーを用いることも可能となる。
【０００４】
電子ペーパー等の表示装置の電源として太陽電池を用いる場合、太陽光や照明光がよく当たる箇所に太陽電池を配置する必要がある。このため、表示装置の上面や正面に太陽電池を配置することが考えられる。ところが、表示装置の上面や正面は目に付きやすい箇所であり、太陽電池が露出されていると表示装置の外観デザインを損ねることになりやすい。また、太陽電池は一般に黒に近い色であり、表示装置の外観の色にも制限を設けることになる。さらに、太陽電池で発電した電力は、配線ケーブルを介して表示装置の制御回路に接続しなければならず、配線ケーブルが表示装置の外表面に配置されて、余計に外観を損ねることになる。
【０００５】
このような事情から、表示装置の表示面の少なくとも一部に太陽電池を組み込むことが考えられる。太陽電池を表示装置の表示面に組み込めば、太陽電池が外観に現れなくなり、また、表示装置の筐体内部に配線ケーブルを収納できることから、見栄えがよくなる（特許文献１参照）。
【先行技術文献】
【特許文献】
【０００６】
【特許文献１】特許５２０６８９９号公報
【発明の概要】
【発明が解決しようとする課題】
【０００７】
しかしながら、太陽電池で電子ペーパーを駆動可能な発電電力を得ようとすると、使用する太陽電池モジュールの数も増えることから、配線ケーブルの数も増えてしまい、配線ケーブルを収納するスペースが余計に必要になる。このため、表示装置の奥行きを広げなければならなくなり、薄型化が可能であるという本来の電子ペーパーの利点を生かせなくなる。
【０００８】
本発明は、上述した課題に鑑みてなされたものであり、その目的は、薄型化が可能で意匠性にも優れた太陽電池駆動装置を提供することにある。
【課題を解決するための手段】
【０００９】
上記の課題を解決するために、本発明の一態様では、表示面と、
前記表示面の縁部を取り囲むように配置される枠体と、
前記表示面の裏面側と前記枠体の内部との少なくとも一方に配置される太陽電池と、
前記太陽電池の発電電力を電源として利用する制御回路と、
前記制御回路により制御される制御対象物と、
前記枠体の内部に配置され、前記太陽電池および前記制御回路を接続する配線ケーブルと、を備える太陽電池駆動装置が提供される。
【００１０】
前記配線ケーブルは、前記太陽電池の光照射面を遮らないように配置されてもよい。
【００１１】
前記表示面の裏面側に配置され、前記枠体に接合される裏面ボードを備えていてもよく、
前記制御回路は、前記太陽電池と前記裏面ボードとの間に配置されてもよい。
【００１２】
前記制御回路は、前記表示面の裏面側または前記枠体の内部に設けられてもよい。
【００１３】
前記表示面は、電気的な画像を表示する第１表示面領域と、所定の絵柄を表示する第２表示面領域とを有してもよく、
前記太陽電池は、前記第２表示面領域の裏面側に配置されてもよい。
【００１４】
前記制御対象物は、前記第１表示面領域に表示する画像を生成する表示部を含んでいてもよく、
前記表示部は、前記太陽電池の発電電力を電源として利用して、前記制御回路により制御されてもよい。
【００１５】
前記制御対象物は、前記太陽電池の発電電力を電源として利用する周囲の環境条件を検知するセンサを含んでいてもよく、
前記制御回路は、前記センサが検知した環境条件に応じて、処理動作を切り替えてもよい。
【００１６】
前記制御回路と前記制御対象物とを接続するフラットケーブルを備えてもよい。
【００１７】
前記枠体の内部には、絵柄層と、この絵柄層を通過した光を拡散させる拡散層と、前記太陽電池と、を積層した積層物が設けられてもよく、
前記拡散層で拡散された光は、前記太陽電池の発電有効面に導かれてもよい。
【発明の効果】
【００１８】
本発明によれば、薄型化が可能で意匠性にも優れた太陽電池駆動装置を提供できる。
【図面の簡単な説明】
【００１９】
【図１】本発明の一実施形態による太陽電池駆動装置１の斜視図。
【図２】図１のＡ−Ａ線断面図。
【図３】太陽電池駆動装置１の正面図。
【図４】制御回路５を枠体３の内部に設けた例を示す図。
【図５】枠体３の内部に太陽電池４を配置する例を示す平面図。
【図６】図５のＡ−Ａ線断面図。
【図７】表示面２の裏面側に設けられる電子ペーパー装置６の表示媒体層１３と裏面ボード１４との間に配置する例を示す図。
【図８】枠体３を取り外し可能にした例を示す図。
【図９】配線ケーブル１５の途中にコネクタ１８を設けた図。
【発明を実施するための形態】
【００２０】
以下、図面を参照して本発明の実施の形態について説明する。なお、本件明細書に添付する図面においては、図示と理解のしやすさの便宜上、適宜縮尺および縦横の寸法比等を、実物から変更し誇張してある。
【００２１】
なお、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２２】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００２３】
さらに、本明細書において、「シート面（フィルム面、板面、パネル面）」とは、対象となるシート状の部材を全体的かつ大局的に見た場合において対象となるシート状部材の平面方向と一致する面のことを指す。以下に説明する実施形態においては、後述する絵柄層と、拡散層と、太陽電池パネルのパネル面と、電子ペーパー装置の表示媒体層とは、いずれも平行であるか、若干傾斜して配置される場合もあるが、本明細書では各層を総称してシート面と呼ぶこともある。
【００２４】
図１は本発明の一実施形態による太陽電池駆動装置１の斜視図、図２は図１のＡ−Ａ線断面図、図３は太陽電池駆動装置１の正面図である。図１の太陽電池駆動装置１は電子ペーパー装置を用いた表示装置である。
【００２５】
図１および図２の太陽電池駆動装置１は、表示面２と、表示面２の縁部を取り囲むように配置される枠体３と、表示面２の裏面側に配置される太陽電池４と、太陽電池４の発電電力を電源として利用する制御回路５と、制御回路５により制御される電子ペーパー装置（制御対象物、表示部）６とを備えている。
【００２６】
図３に示すように、表示面２は、電子ペーパー装置６が生成した電気的な画像を表示する第１表示面領域７と、所定の絵柄を表示する複数の第２表示面領域８とを有する。第１表示面領域７は例えば表示面２の略中央部に設けられ、複数の第２表示面領域８は例えば第１表示面領域７の周囲に配置されている。図３では、４つの第２表示面領域８を設ける例を示しているが、第２表示面領域８の数およびサイズには特に制限はない。また、第１表示面領域７と第２表示面領域８との位置関係も図３に示したものに限定されない。
【００２７】
第２表示面領域８には、絵柄フィルム９に印字された絵柄が表示される。第２表示面領域８の裏面側には、図２に示すように太陽電池４が配置されている。より詳細には、第２表示面領域８に配置される太陽電池４は、太陽電池パネルを直列接続した太陽電池モジュールを一つまたは複数個配置したものである。このように、第２表示面領域８は、太陽電池モジュールの数およびサイズに合わせて設けられている。なお、絵柄フィルム９上の絵柄は、第１表示面領域７にも設けられてもよい。この場合、第１表示面領域７には、絵柄と電子ペーパー装置６が生成した電気的な画像とが合成して表示されることになる。また、絵柄フィルム９の代わりに、第１表示面領域７と重なる領域がくり抜かれたシート状部材（例えば、紙）に絵柄を印刷してもよい。
【００２８】
太陽電池４は、図２に示すように、絵柄フィルム９の下方に配置される拡散層１１と、拡散層１１の下方に配置されるＰＶ（Photovoltaic）層１２とを有する。太陽電池４を構成する太陽電池モジュールは、上述したように複数の太陽電池パネルを直列接続したものであり、各太陽電池パネルは複数の太陽電池セルを直列接続したものである。各太陽電池セルは、拡散層１１とＰＶ層１２とを有する。
【００２９】
電子ペーパー装置６は、電気的な画像を生成する表示媒体層１３を有する。この表示媒体層１３は、図２に示すように、例えばＰＶ層１２に隣接して配置されている。ＰＶ層１２の上方には拡散層１１が配置されているのに対し、表示媒体層１３の上方には拡散層１１は配置されておらず、絵柄フィルム９が配置されている。なお、表示媒体層１３の上方にも、拡散層１１を配置してもよい。この場合、表示媒体層１３に形成される画像が拡散層１１で拡散されるために、正面から見ると、輪郭が不鮮明な画像が視認されることになる。
【００３０】
絵柄フィルム９の上面には、表示媒体層１３の直上を避けるようにして、絵柄が印字されている。この絵柄は、電子ペーパー装置６が駆動しているか否かにかかわらず、表示面２上で視認可能となる。また、電子ペーパー装置６が駆動している場合は、図１に示すように、表示媒体層１３に形成された画像の周囲に絵柄が表示されることになり、絵柄と電子ペーパー装置による画像とを合成した合成画像が生成される。
【００３１】
絵柄フィルム９上に印字された絵柄は、例えば、インクのドットの密度やサイズを変えることにより形成されている。あるいは、不透明または半透明の印刷により絵柄を形成してもよい。絵柄は、例えば文字、数字、記号、絵画像、写真画像などの、印刷技術を利用して印字可能な任意の印字情報であり、絵柄の具体的なデザインは問わない。
【００３２】
絵柄フィルム９の下方に配置される拡散層１１のヘイズを高くして白色度を上げて、絵柄フィルム９上の絵柄を色鮮やかに表示させてもよい。拡散層１１は、絵柄フィルム９上の絵柄の隙間を通って入射される光や、絵柄フィルム９上の絵柄自体を透過した光を拡散させる。後者の場合、絵柄を半透明な色素やドットで形成すればよい。
【００３３】
また、拡散層１１は必ずしも必須ではない。例えば、絵柄フィルム９よりも前側に光学部材を配置し、第１方向から見ると絵柄フィルム９を視認でき、第１方向以外の第２方向からの光をＰＶ層１２に導いて発電を行うようにしてもよい。
【００３４】
さらに、ストライプ状あるいは格子状の開口部を有する絵柄フィルム９を用いてもよい。この場合、開口部を介して光がＰＶ層１２に入射されるため、ＰＶ層１２で発電を行うことができる。また、一つ一つの開口部のサイズが小さい場合には、ある程度距離を離して表示面２を視認すると、開口部の存在がわからない程度に連続した絵柄を視認でき、意匠性にも優れた絵柄を形成可能である。
【００３５】
絵柄フィルム９は、例えば、アクリル、スチレン、ポリカーボネート、ポリエチレンテレフタレート、アクリロニトリル等の一以上を主成分とする透明樹脂で形成可能である。拡散層１１は、例えば、透明な樹脂バインダに光拡散剤を分散した組成物である。バインダ樹脂は、例えばポリエステル樹脂、ポリ塩化ビニル樹脂、アクリル系樹脂、エポキシ樹脂、ポリオレフィン樹脂を単独又はこれらの混合物を用いることができる。光拡散剤としては、有機または無機の拡散剤を使用できる。表示媒体層１３は、例えば、ツイストボールと表示媒体層用部材とで構成可能である。
【００３６】
図２に示すように、ＰＶ層１２と表示媒体層１３の裏面側には裏面ボード１４が配置されており、枠体３は裏面ボード１４の端部と表示面２の端部とを把持するように配置されている。なお、裏面ボード１４と枠体３とが一体成形されていてもよい。
【００３７】
ＰＶ層１２および表示媒体層１３と裏面ボード１４との間には、制御回路５が配置されている。制御回路５は、電子ペーパー装置６の表示媒体層１３に供給される電圧信号を生成する。表示媒体層１３は、制御回路５からの電圧信号に基づいて、電気的な画像を生成する。なお、制御回路５が行う処理動作は、上述した電圧信号の生成に限らない。例えば、制御回路５は、表示媒体層１３に形成する画像の生成や、画像の切替タイミングの制御などを行ってもよい。また、後述するように、太陽電池駆動装置１内に電子ペーパー装置６以外の制御対象物が存在する場合には、その制御対象物の制御も制御回路５で行ってもよい。
【００３８】
制御回路５は、太陽電池４の発電電力を電源として利用する。このため、太陽電池４と制御回路５との間には、電源電圧を供給するための配線ケーブル１５が設けられている。配線ケーブル１５は、太陽電池４が複数の太陽電池モジュールで構成される場合には、各太陽電池モジュールごとに必要になるため、太陽電池モジュールの数が多いほど、配線ケーブル１５の数も増える。このため、配線ケーブル１５の引き回し場所を最適化しないと、太陽電池駆動装置１の筐体サイズが大きくなるおそれがある。
【００３９】
そこで、本実施形態では、図２に示すように、配線ケーブル１５を枠体３の内部に配置するようにしている。これにより、配線ケーブル１５を裏面ボード１４側に配置しなくて済み、太陽電池駆動装置１の奥行き方向の厚みを削減できる。図２では、配線ケーブル１５を１本しか図示していないが、実際には複数の配線ケーブル１５が枠体３の内壁に沿って配置されている。太陽電池モジュールは、複数の第２表示面領域８に対応づけて設けられるため、制御回路５から遠い場所にある太陽電池モジュールからの配線ケーブル１５は、最近接距離で枠体３に入って、枠体３の内壁を通って、制御回路５の最近接距離で枠体３から出て制御回路５に接続される。このように、配線ケーブル１５は、太陽電池４が配置される表示面３を遮らないように、かつ裏面ボード１４側にできるだけ配置されないように、枠体３の内部に収納される。
【００４０】
なお、配線ケーブル１５の具体的な引き回し方法は上述した説明に限定されるものではない。枠体３の内部を配線ケーブル１５の引き回しに用いていればよい。
【００４１】
図２では、制御回路５をＰＶ層１２および表示媒体層１３と裏面ボード１４との間に配置したため、配線ケーブル１５の一部は、裏面ボード１４側に引き回さなければならない。このため、制御回路５の配置場所と配線ケーブル１５の引き回し領域を裏面ボード１４側に確保しなければならず、太陽電池駆動装置１の奥行き長さを短縮する妨げになってしまう。
【００４２】
これに対して、図４は制御回路５を枠体３の内部に設けた例を示している。この場合、太陽電池４から枠体３の内部に入った配線ケーブル１５を、枠体３の内部で制御回路５に接続できる。また、制御回路５を枠体３の内部に設けたことで、ＰＶ層１２および表示媒体層１３と裏面ボード１４との間隔を狭めることができ、太陽電池駆動装置１の奥行き方向の長さをより短縮でき、太陽電池駆動装置１の薄型化を実現できる。
【００４３】
なお、図４では、制御回路５を左側の枠体３の内部に設ける例を示しており、この例では、右側の太陽電池４から伸びる配線ケーブル１５は、枠体３の内部を通って、左側の制御回路５に接続されることになる。このように、制御回路５が枠体３の内部のどこにあっても、枠体３の内部に配線ケーブル１５を這わせることで、配線ケーブル１５をＰＶ層１２と裏面ボート１４の間に配置しなくて済む。
【００４４】
本実施形態の電子ペーパー装置６は、太陽電池４の発電電力を電源として利用するため、電子ペーパー装置６の消費電力に応じて、太陽電池４の発電有効面のサイズを決定する必要がある。
【００４５】
また、本実施形態による太陽電池駆動装置１は、電子ペーパー装置６以外の制御対象物を備えていてもよい。電子ペーパー装置６以外の制御対象物の一例としては、太陽電池４の発電電力を電源として利用する、周囲の環境条件を検知する各種センサである。より具体的には、人感センサ、温度センサ、湿度センサ、加速度センサ、ＧＰＳ（Global Positioning System）センサなどが考えられる。
【００４６】
人感センサは、太陽電池駆動装置１の周囲に人間がいるか否かを検知するものであり、人感センサにて周囲に人間がいることが検知されると、例えば、太陽電池駆動装置１の脇に置かれた不図示の大型ディスプレイ装置の電源をオンして、広告情報などを大画面で表示してもよい。また、人感センサにて、各人間が太陽電池駆動装置１の表示を見ていた時間の長さを収集してもよい。この場合、各人間が表示を見ていた時間の長さを蓄積するための記憶装置と記憶制御装置を太陽電池駆動装置１に設ければよい。これら記憶装置と記憶制御装置の電源は、太陽電池４の発電電力を利用してもよいし、発電電力だけでは不足する場合には、補助用のバッテリ（電池）を設けてもよい。このように、太陽電池４は外部バッテリと併用してもよい。
【００４７】
上述した図１および図２では、太陽電池４を表示面２の裏面側に配置する例を示したが、太陽電池４を表示面２の裏面側に設けると、絵柄フィルム９に印字された絵柄のインクドットの密度が全体的に高い場合には、太陽電池４での発電能力が低くなるおそれがある。また、表示面２の裏面側に太陽電池４を配置することで、表示面２が暗くなるおそれもある。
【００４８】
そこで、表示面２の裏面側ではなく、枠体３の内部に太陽電池４を配置するようにしてもよい。図５は枠体３の内部に太陽電池４を配置する例を示す平面図、図６は図５のＡ−Ａ線断面図である。
【００４９】
図５に示すように、枠体３を構成する矩形状の４つの枠部のそれぞれに、複数の太陽電池モジュール１０からなる太陽電池４が配置されている。各枠部に配置される太陽電池モジュール１０の数には特に制限はない。
【００５０】
図５および図６の太陽電池駆動装置１では、枠体３の前面板の裏面側に拡散層１１が配置され、この拡散層１１の裏面側にＰＶ層１２が配置され、ＰＶ層１２の裏面側に制御回路５が配置され、制御回路５の裏面側に裏面ボード１４が配置されている。制御回路５は、図６のように枠体３の内部に設けてもよいし、図７のように、表示面２の裏面側に設けられる電子ペーパー装置６の表示媒体層１３と裏面ボード１４との間に配置してもよい。なお、図５および図６の太陽電池駆動装置１では、枠体３の少なくとも前面板を、光を透過させることが可能な透明または半透明な材料で形成する必要がある。
【００５１】
図５および図６の太陽電池駆動装置１では、太陽電池４も枠体３の内部に配置されるため、太陽電池４と制御回路５とを接続する配線ケーブル１５は、太陽電池４の光照射面を遮らないように、枠体３の内部に収納する必要がある。例えば、配線ケーブル１５は、枠体１３の内壁に沿って配置される。
【００５２】
また、図６の太陽電池駆動装置１は、枠体３に絵柄を付与することを想定していないが、枠体３の前面板の前面側に図２の絵柄層と同様の絵柄層を設けてもよい。枠体３の前面板を絵柄層で覆うことで、枠体３の内部に配置された太陽電池４の色や形状が視認されなくなり、意匠性に優れた太陽電池駆動装置１を提供できる。
【００５３】
図５〜図７の太陽電池駆動装置１では、枠体３の内部のみに太陽電池４が設けられているため、図２のように表示面２の裏面側に太陽電池４を配置する場合に比べて、太陽電池４の発電有効面の面積が狭くなるおそれがあるが、枠体３の幅や長さを広げることにより、太陽電池４の発電有効面の面積を増大することができる。
【００５４】
また、枠体３の幅や長さを大きくせずに、できるだけ太陽電池４の発電有効面のサイズを大きくするには、枠体３の内部と表示面２の裏面側とに太陽電池４を配置してもよい。
【００５５】
ところで、本実施形態による太陽電池駆動装置１を広告宣伝用の表示装置として利用する場合、広告宣伝の情報を簡易に変更できるようにするのが望ましい。電子ペーパー装置６により第１表示面領域７に電子的に表示される画像は、ソフトウェア処理により簡易に変更できるが、絵柄フィルム９に印字された絵柄を変えるには、絵柄フィルム９自体を交換することが好ましい。そこで、図８に示すように、枠体３の少なくとも一部を取り外せるようにしてもよい。図８の例では、矩形状の枠体３を角部で分割可能な４つの分割枠部３ａ〜３ｄで構成し、分割枠部３ａ〜３ｄの少なくとも一つを着脱可能とする例を示している。分割枠部３ａ〜３ｄの少なくとも一つを取り外せば、その取り外した部分から絵柄フィルム９を交換することができる。
【００５６】
また、裏面ボード１４も着脱可能としてもよい。図６等に示すように、裏面ボード１４の端部は、枠体３により把持されているため、枠体３中の少なくとも一つの分割枠部３ａ〜３ｄを取り外すと、取り外した側から裏面ボード１４も取り外せるようにしてもよい。これにより、図８に示すように、裏面ボード１４に接合された制御回路５も取り外すことができ、容易に絵柄フィルム９を取り外すことができる。
【００５７】
本実施形態では、枠体３の内部に配線ケーブル１５を収納しており、また場合によっては枠体３の内部に制御回路５が収納される場合もある。したがって、枠体３の一部を取り外したときに、配線ケーブル１５やフラットケーブルが断線しないように、配線ケーブル１５やフラットケーブルは、枠体３の一部を取り外しても断線しないように、長さに余裕を持たせておく必要がある。
【００５８】
また、図９に示すように、配線ケーブル１５の途中にコネクタ１８を設けて、このコネクタ１８にて配線ケーブル１５を着脱できるようにして、配線ケーブル１５を裏面ボード１４側の配線ケーブル１５と枠体３側の配線ケーブル１５とに容易に分けられるようにしてもよい。これにより、枠体３の一部を取り外す際には、コネクタ１８にて配線ケーブル１５を２つに分けるようにすれば、配線ケーブル１５の断線を確実に防止できる。
【００５９】
このように、本実施形態では、太陽電池４と制御回路５とを接続する配線ケーブル１５を枠体３の内部に収納するようにしたため、配線ケーブル１５を裏面ボード１４側に収納しなくて済み、太陽電池駆動装置１の奥行き方向の長さを短縮でき、薄型化が可能となる。また、制御回路５も枠体３の内部に収納することで、さらなる薄型化が可能となる。
【００６０】
さらに、枠体３の少なくとも一部を着脱可能な構造にすることで、絵柄フィルム９の交換が容易になり、広告宣伝用の表示装置として利用可能となる。
【００６１】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６２】
１  太陽電池駆動装置、２  表示面、３  枠体、４  太陽電池、５  制御回路、６  電子ペーパー装置、７  第１表示面領域、８  第２表示面領域、９  絵柄フィルム、１１  拡散層、１２  ＰＶ層、１３  表示媒体層、１４  裏面ボード、１５  配線ケーブル、１８  コネクタ
【図２】
2016024373.tif 000003
【図３】
2016024373.tif 000004
【図４】
2016024373.tif 000005
【図５】
2016024373.tif 000006
【図６】
2016024373.tif 000007
【図７】
2016024373.tif 000008
【図８】
2016024373.tif 000009
【図９】
2016024373.tif 000010
【図１】
2016024373.tif 000011